(57)【要約】【課題】乳幼児のうつ伏せ寝を検出して報知することにより窒息事故を防ぐことのできる持ち運び便利な乳幼児うつ伏せ寝検出装置を提供するものである。【解決手段】乳幼児１の着衣１０の表面に設けられる検知部２と本体部６とからなり、検知部２は着衣１０の表面の腹部、胸部、首部、肩部などに設置され乳幼児１のうつ伏せ寝を検知するセンサ部３と、このセンサ部３がうつ伏せ寝を検知した場合にＯＮ信号を発信する第１制御部４と、第１制御部４から指令を受けてＯＮ信号を電磁波に変換して発信する発信部５とを備え、本体部６はＯＮ信号を受信する受信部７と、受信部７がＯＮ信号を受信した場合にアラーム部９に動作開始の指令を出す第２制御部８と、この指令を受けて光、音声、振動又はその組み合わせたものを発生して報知するアラーム部９とを備える。【選択図】図３
2005312901.tif 000002
【特許請求の範囲】
【請求項１】
乳幼児の着衣表面又は身体表面に設けられる検知部と、この検知部と電気的に接続された本体部から構成される乳幼児うつ伏せ寝検出装置であって、前記検知部は前記乳幼児の腹部又は胸部あるいは首部又は肩部のいずれか１つ若しくは複数箇所に設置されて乳幼児のうつ伏せ寝を検知するセンサ部と、このセンサ部が前記うつ伏せ寝を検知した場合にうつ伏せ寝を示す信号（以下、ＯＮ信号という。）を発信する第１制御部とを備え、前記本体部は前記乳幼児の着衣表面又は身体表面に装着あるいは前記乳幼児から離して設置され、前記第１制御部から前記乳幼児のＯＮ信号を電気的な接続を通じて受信する第２制御部と、前記ＯＮ信号を受信した場合に第２制御部から出される指令を受けて光、音声、振動又はその組合せたものを発生し、あるいは文字を使ったものを表示して報知するアラーム部とを備えることを特徴とする乳幼児うつ伏せ寝検出装置。
【請求項２】
前記本体部は前記検知部から離して設けられ、前記検知部は前記第１制御部から指令を受けてＯＮ信号を電磁波に変換して発信する発信部を備え、前記本体部は前記ＯＮ信号を受信する受信部を備え、前記第２制御部は、前記受信部が前記ＯＮ信号を受信した場合に前記アラーム部に対して光、音声、振動又はその組合せたものを発生させ、あるいは文字を使ったものを表示させる指令を出すことを特徴とする請求項１に記載の乳幼児うつ伏せ寝検出装置。
【請求項３】
外部受信部が前記本体部から離して設置され、前記第２制御部は前記受信部が前記ＯＮ信号を受信した場合にこの外部受信部に対して報知信号を生成して送信することを特徴とする請求項２に記載の乳幼児うつ伏せ寝検出装置。
【請求項４】
前記検知部は前記発信部に代えて第１の送受信部と、第１のマイクロホンと、第１のスピーカとを備え、前記外部受信部は第２のマイクロホンと、第２のスピーカとを備え、前記本体部は前記受信部に代えて第２の送受信部を備え、前記第１のマイクロホンに入力された乳幼児の音声は前記第１の送受信部により電磁波の音声信号に変換されて前記第２の送受信部へ送信され、この音声信号はさらに前記第２制御部から前記外部受信部へ送信され、前記外部受信部はこの音声信号を変換して前記第２のスピーカから音声を発生させるとともに、前記第２のマイクロホンに入力された監視者の音声は前記外部受信部により電磁波の音声信号に変換されて前記第２制御部へ送信され、この音声信号はさらに前記第２の送受信部から前記第１の送受信部へ送信され、前記第１の送受信部はこの音声信号を変換して前記第１のスピーカから音声を発生させることを特徴とする請求項３に記載の乳幼児うつ伏せ寝検出装置。
【請求項５】
乳幼児の着衣表面又は身体表面に尿センサ部と、この尿センサ部と電気的に接続された発信部とから構成される尿検知部が設けられ、前記発信部は前記尿センサ部が尿を検出した場合に尿検知信号を発信することを特徴とする請求項１乃至請求項４のいずれか１項に記載の乳幼児うつ伏せ寝検出装置。
【請求項６】
前記第１制御部は、前記センサ部が乳幼児のうつ伏せ寝を予め設定された時間以上継続して検知した場合に前記ＯＮ信号を発信することを特徴とする請求項１乃至請求項５のいずれか１項に記載の乳幼児うつ伏せ寝検出装置。
【請求項７】
前記第２制御部は、前記本体部が前記ＯＮ信号を予め設定された時間以上継続して受信した場合に前記アラーム部若しくは前記外部受信部に対して光、音声、振動又はその組合せたものを発生させ、あるいは文字を使ったものを表示させる指令を出すことを特徴とする請求項１乃至請求項６のいずれか１項に記載の乳幼児うつ伏せ寝検出装置。
【請求項８】
前記センサ部は乳幼児の体重がスイッチ部に加わって電気回路が閉じることによりスイッチがＯＦＦ状態からＯＮ状態に切り替わる構造を備えたことを特徴とする請求項１乃至請求項７のいずれか１項に記載の乳幼児うつ伏せ寝検出装置。
【請求項９】
前記センサ部は乳幼児のうつ伏せ寝に伴って加えられる荷重を検出する構造を備えたことを特徴とする請求項１乃至請求項７のいずれか１項に記載の乳幼児うつ伏せ寝検出装置。
【請求項１０】
前記センサ部は重力加速度を含む加速度を検出する構造を備えたことを特徴とする請求項１乃至請求項７のいずれか１項に記載の乳幼児うつ伏せ寝検出装置。
【請求項１１】
前記第１制御部は、前記センサ部により検出された加速度から乳幼児の体の傾きを示す角度を算出し、この角度が予め設定された許容値を超えた場合にＯＮ信号を発信することを特徴とする請求項１０に記載の乳幼児うつ伏せ寝検出装置。
【請求項１２】
前記第１制御部は、前記センサ部により検出された加速度から乳幼児の体の傾きを示す角度又は角速度を算出し、この角度が予め設定された第１の許容値を超えて変化した場合若しくはこの角速度が予め設定された第２の許容値を超えた場合に乳幼児が目覚めたことを示す信号（以下、ＷＡＫＥ−ＵＰ信号という。）を発信することを特徴とする請求項１０又は請求項１１に記載の乳幼児うつ伏せ寝検出装置。
【請求項１３】
前記第１制御部は、前記センサ部により検出された加速度から水平面内における並進運動を表す信号を分離し、この信号の大きさが予め設定された許容値を超えた場合に乳幼児がハイハイしていることを示す信号（以下、ＣＲＡＷＬ信号という。）を発信することを特徴とする請求項１０乃至請求項１２のいずれか１項に記載の乳幼児うつ伏せ寝検出装置。
【請求項１４】
前記第１制御部は、前記センサ部により検出された加速度から乳幼児の呼吸又は脈拍の状態を表す信号を分離し、前記ＯＮ信号の発信中に前記信号が不規則なパターンを示した場合に危険信号を発信することを特徴とする請求項１０乃至請求項１３のいずれか１項に記載の乳幼児うつ伏せ寝検出装置。
【請求項１５】
前記第１制御部及び前記第２制御部に代えてそれらを一体にして両方の機能を備えた制御部を有し、前記検知部と前記本体部が一体に構成されることを特徴とする請求項１乃至請求項１４のいずれか１項に記載の乳幼児うつ伏せ寝検出装置。
【発明の詳細な説明】
【技術分野】
【０００１】
本発明は、乳幼児のうつ伏せ寝を検出する乳幼児うつ伏せ寝検出装置に関する。
【背景技術】
【０００２】
一般に、生後半年を経過していない乳幼児は自分の力で寝返りをすることができず、誤ってうつ伏せ寝の状態になると寝具などにより口や鼻腔が塞がれて窒息を引き起こすことがある。また、窒息に至らなくてもうつ伏せ寝は就寝中の乳幼児が突然死亡してしまう、いわゆる乳幼児突然死症候群（ＳＩＤＳ）を引き起こす原因の１つであるともいわれている。そのため、乳幼児をうつ伏せの状態にして寝かせることは避けるべきであることはもちろん、仰向けの状態で寝かせた場合であっても誤ってうつ伏せ寝の状態になっていないかを常に注意する必要がある。しかし、一日中乳幼児を監視することが可能な大規模な設備を備えた病院や施設の場合はともかく、一般家庭においては乳幼児が就寝中であるか否かを問わず、うつ伏せ寝になっていないことを絶えず監視し続けることは困難である。
【０００３】
このような課題に対処するため、いくつかの発明及び考案が開示されている。例えば、特許文献１には、「乳児用敷布団」という名称で、乳児がうつ伏せにて睡眠をする時に容易に息ができ、安心して睡眠ができる乳児用敷布団に関する考案が開示されている。
【０００４】
以下、図１８（ａ）を参照しながら、特許文献１に開示された技術について説明する。図１８（ａ）は従来技術に係る乳幼児敷布団の斜視図である。
特許文献１に開示された乳児用敷布団は、図１８（ａ）に示すように長方形の硬質性スポンジ５２の上部付近を凹字状に切り欠き、凹字状部分５０を設け、一定期間使用後うつぶせ寝の可能性がなくなった場合に、凹字状の切り欠き部５１を切り欠いた部分に嵌合させる構造となっている。
このような構造により、乳児用敷布団の凹字状部分５０の上部に顔を起き、下部に顎が来るようにし、凹部により鼻から息ができる状態にて寝かせることがでる。したがって、乳児をうつ伏せにして睡眠させても、事故を防止でき、乳児が安心して熟睡できるという利点がある。
【０００５】
また、特許文献２には、「監視装置」という名称で、寝室内に設置されたベビーベッドの上で就寝している乳幼児を監視することのできる監視装置に関する発明が開示されている。
以下、図１８（ｂ）を参照しながら、特許文献２に開示された技術について説明する。図１８（ｂ）は従来技術に係る監視装置の構成を示す概略図である。
図１８（ｂ）に示すように監視装置５３はベビーベッド６３、カメラ部６４及びプリンタ付きモニタユニット６５とからなり、ベビーベッド６３は就寝台６７とその上面周縁を囲んでいる柵５４とで構成され、柵５４の上部にカメラ部６４が取り付けられている。プリンタ付きモニタユニット６５はユニット本体５８の上面にＬＣＤパネル５７、操作ボタン５９、プリントボタン６０とを有し、ベビーベッド６３で乳幼児６６が就寝している部屋５５とは異なる部屋６２の壁面に取り付けられており、カメラ部６４で撮像された画像はケーブル６１を介してプリンタ付きモニタユニット６５に送られてＬＣＤパネル５７に表示され、部屋６２で家事をしている監視者５６はその画像を確認する。
このような構造により、カメラ部６４は常に乳幼児６６を撮像して、その画像をリアルタイムでプリンタ付きモニタユニット６５に送信し、ＬＣＤパネル５７に表示する。したがって、監視者５６は複雑な操作をすることなく、家事をしながら、乳幼児６６の状態を随時把握することができる。
【０００６】
特許文献３には、「就寝装置」という名称で、病院や老人ホームなどの施設又は一般家庭で使用し、就寝者の各部の体動を検知して就寝状態を判定し自動的に表示、報知することのできる就寝装置に関する発明が開示されている。
以下、図１９（ａ）、（ｂ）を参照しながら、特許文献３に開示された技術について説明する。図１９（ａ）は従来技術に係る就寝装置の外観斜視図であり、（ｂ）は同装置のベッドパッドにおける体動検知手段とクッション材の配置を示す斜視図である。
特許文献３に開示された就寝装置は、図１９（ａ）に示すように病院や老人ホームなどの施設の病室又は一般家庭の寝室に設置されたベッド７３に置かれたマットレス７４の上のベッドパッド７５の中に設けられ、就寝者７７の体動を検知する可とう性の体動検知手段７６を有し、この体動検知手段７６は信号処理手段（図示せず）及び表示手段としてのディスプレイ６９と報知手段としてのブザー７０などを有する制御ボックス６８と接続された構造となっている。ベッドパッド７５は図１９（ｂ）に示すように、ポリフッ化ビニリデン（ＰＶＤＦ）などの高分子圧電材料を薄膜状にし、両面に可とう性の電極膜を付着させたものをテープ状に成形し、布片７１に縫製した構造の体動検知手段７６と、凹凸状の突起を有するクッション材７２から構成される。
このような構造により、ベッド７３の上に横たわった就寝者７７の寝返りや手足の動きによって生じる体動は体動検知手段７６の歪としてあらわれる。さらに、クッション材７２の凹凸状の突起の変形によってその歪は増幅されるため、クッション材７２が無い場合に較べて高いレベルの出力が得られる。従って、特に安静時の心拍や呼吸による小さな体動信号や高齢者の緩慢な動きを寝心地を損なうことなく検知することができる。
【０００７】
【特許文献１】実開平６−５５４５９号公報
【特許文献２】特開２００３−９２７４７号公報
【特許文献３】特開平８−２１５１７５号公報
【発明の開示】
【発明が解決しようとする課題】
【０００８】
しかしながら、上述の従来技術である特許文献１に開示された発明においては、乳幼児がうつ伏せの状態でその顔が敷布団の凹字状の部分の上に来るように寝かされた場合であって、就寝中にその顔が敷布団の凹字状部分からずれない場合には乳幼児の窒息を防ぐことができるという効果があるものの、就寝中に乳幼児が動いてその顔が敷布団の凹字状部分からずれた場合や、乳幼児が仰向けの状態で寝かされた後、誤ってうつ伏せの状態になってその顔が敷布団の凹字状部分からずれた場合には窒息を防ぐことができないという課題があった。
【０００９】
また、特許文献２に開示された発明においては、ＬＣＤパネルに表示された乳幼児の画像を確認することにより監視者は複雑な操作をすることなく、例えば家事をしながらでも、乳幼児の状態を随時把握することができるという効果があるものの、短時間でもＬＣＤパネルから目を離すと乳幼児のうつ伏せ寝を見過すおそれがあるという課題があった。
【００１０】
最後に、特許文献３に開示された発明においては、高齢者の安静時の心拍や呼吸による小さな体動信号や緩慢な動きを寝心地を損なうことなく検知できるという効果があるものの、乳幼児のうつ伏せ寝の検出に用いる場合には、乳幼児の動きが大人より大きく、寝具上でその位置が変化しやすいため、検知部の大きさを乳幼児の体の大きさよりも小さくすることが難しいという課題があった。
【００１１】
本発明はかかる従来の事情に対処してなされたものであり、寝具上でその位置が大きく変化しやすい乳幼児について、うつ伏せ寝を検出して周囲の者に報知すすることにより窒息事故を未然に防ぐことができ、なおかつ簡単な機構で持ち運びが便利な乳幼児うつ伏せ寝検出装置を提供することを目的とする。
【課題を解決するための手段】
【００１２】
上記目的を達成するため、請求項１記載の発明である乳幼児うつ伏せ寝検出装置は、乳幼児の着衣表面又は身体表面に設けられる検知部と、この検知部と電気的に接続された本体部から構成される乳幼児うつ伏せ寝検出装置であって、検知部は乳幼児の腹部又は胸部あるいは首部又は肩部のいずれか１つ若しくは複数箇所に設置されて乳幼児のうつ伏せ寝を検知するセンサ部と、このセンサ部がうつ伏せ寝を検知した場合にうつ伏せ寝を示す信号（以下、ＯＮ信号という。）を発信する第１制御部とを備え、本体部は乳幼児の着衣表面又は身体表面に装着あるいは乳幼児から離して設置され、第１制御部から乳幼児のＯＮ信号を電気的な接続を通じて受信する第２制御部と、ＯＮ信号を受信した場合に第２制御部から出される指令を受けて光、音声、振動又はその組合せたものを発生し、あるいは文字を使ったものを表示して報知するアラーム部とを備えるものである。
上記構成の乳幼児うつ伏せ寝検出装置においては、センサ部が乳幼児のうつ伏せ寝を検知すると第１制御部は乳幼児のうつ伏せ寝を示すＯＮ信号を発信し、本体部では電気的な接続を通じて第２制御部がそのＯＮ信号を受信するとアラーム部に対して動作開始の指令を出し、アラーム部はその指令に従って光、音声、振動又はその組合せたものを発生し、あるいは文字を使ったものを表示して報知するという作用を有する。
【００１３】
また、請求項２記載の発明である乳幼児うつ伏せ寝検出装置は、請求項１に記載された発明において、本体部は検知部から離して設けられ、検知部は第１制御部から指令を受けてＯＮ信号を電磁波に変換して発信する発信部を備え、本体部はＯＮ信号を受信する受信部を備え、第２制御部は、受信部がＯＮ信号を受信した場合にアラーム部に対して光、音声、振動又はその組合せたものを発生させ、あるいは文字を使ったものを表示させる指令を出すことを特徴とするものである。
上記構成の乳幼児うつ伏せ寝検出装置においては、請求項１に記載の発明と同様の作用を有するとともに、センサ部が乳幼児のうつ伏せ寝を検知すると第１制御部からの指令を受けて発信部はＯＮ信号を電磁波に変換して発信し、第２制御部は受信部がそのＯＮ信号を受信するとアラーム部に対して動作開始の指令を出すという作用を有する。
【００１４】
請求項３記載の発明である乳幼児うつ伏せ寝検出装置は、請求項２に記載された発明において、外部受信部が本体部から離して設置され、第２制御部は受信部がＯＮ信号を受信した場合にこの外部受信部に対して報知信号を生成して送信するものである。
上記構成の乳幼児うつ伏せ寝検出装置においては、請求項２に記載された発明と同様の作用を有するとともに、第２制御部は受信部がＯＮ信号を受信した場合に外部受信部に対して報知信号を生成して送信するという作用を有する。
【００１５】
請求項４記載の発明である乳幼児うつ伏せ寝検出装置は、請求項３に記載された発明において、検知部は発信部に代えて第１の送受信部と、第１のマイクロホンと、第１のスピーカとを備え、外部受信部は第２のマイクロホンと、第２のスピーカとを備え、本体部は受信部に代えて第２の送受信部を備え、第１のマイクロホンに入力された乳幼児の音声は第１の送受信部により電磁波の音声信号に変換されて第２の送受信部へ送信され、この音声信号はさらに第２制御部から外部受信部へ送信され、外部受信部はこの音声信号を変換して第２のスピーカから音声を発生させるとともに、第２のマイクロホンに入力された監視者の音声は外部受信部により電磁波の音声信号に変換されて第２制御部へ送信され、この音声信号はさらに第２の送受信部から第１の送受信部へ送信され、第１の送受信部はこの音声信号を変換して第１のスピーカから音声を発生させるものである。
上記構成の乳幼児うつ伏せ寝検出装置においては、請求項３に記載された発明と同様の作用を有するとともに、第１のマイクロホンに入力された乳幼児の音声は第１の送受信部により電磁波の音声信号に変換されて第２の送受信部へ送信され、この音声信号はさらに第２制御部から外部受信部へ送信され、外部受信部はこの音声信号を変換して第２のスピーカから音声を発生させ、第２のマイクロホンに入力された監視者の音声は外部受信部により電磁波の音声信号に変換されて第２制御部へ送信され、この音声信号はさらに第２の送受信部から第１の送受信部へ送信され、第１の送受信部はこの音声信号を変換して第１のスピーカから音声を発生させるという作用を有する。
【００１６】
請求項５記載の発明である乳幼児うつ伏せ寝検出装置は、請求項１乃至請求項４のいずれか１項に記載された発明において、乳幼児の着衣表面又は身体表面に尿センサ部と、この尿センサ部と電気的に接続された発信部とから構成される尿検知部が設けられ、発信部は尿センサ部が尿を検出した場合に尿検知信号を発信するものである。
上記構成の乳幼児うつ伏せ寝検出装置においては、請求項１乃至請求項４のいずれか１項に記載された発明と同様の作用を有するとともに、発信部は尿センサ部が尿を検出した場合に尿検知信号を発信するという作用を有する。
【００１７】
請求項６記載の発明である乳幼児うつ伏せ寝検出装置は、請求項１乃至請求項５のいずれか１項に記載された発明において、第１制御部は、センサ部が乳幼児のうつ伏せ寝を予め設定された時間以上継続して検知した場合にＯＮ信号を発信するものである。
上記構成の乳幼児うつ伏せ寝検出装置においては、請求項１乃至請求項５のいずれか１項に記載された発明と同様の作用を有するとともに、乳幼児が一度うつ伏せになった後すぐに短時間で横向きや仰向けなどのうつ伏せ以外の姿勢になった場合には第１制御部はＯＮ信号を発信しないという作用を有する。
【００１８】
請求項７記載の発明である乳幼児うつ伏せ寝検出装置は、請求項１乃至請求項６のいずれか１項に記載された発明において、第２制御部は、本体部がＯＮ信号を予め設定された時間以上継続して受信した場合にアラーム部若しくは外部受信部に対して光、音声、振動又はその組合せたものを発生させ、あるいは文字を使ったものを表示させる指令を出すものである。
上記構成の乳幼児うつ伏せ寝検出装置においては、請求項１乃至請求項６のいずれか１項に記載された発明と同様の作用を有するとともに、乳幼児が一度うつ伏せになった後すぐに短時間で横向きや仰向けなどのうつ伏せ以外の姿勢になった場合には本体部がＯＮ信号を受信した場合であってもアラーム部は光、音声、振動又はその組合せたものを発生若しくは文字を使ったものの表示をしないという作用を有する。
【００１９】
請求項８記載の発明である乳幼児うつ伏せ寝検出装置は、請求項１乃至請求項７のいずれか１項に記載された発明において、センサ部は乳幼児の体重がスイッチ部に加わって電気回路が閉じることによりスイッチがＯＦＦ状態からＯＮ状態に切り替わる構造を備えるものである。
上記構成の乳幼児うつ伏せ寝検出装置においては、請求項１乃至請求項７のいずれか１項に記載された発明と同様の作用を有するとともに、乳幼児がうつ伏せ寝になるという物理的な変化をトリガーとして電気信号を発生させるという作用を有する。
【００２０】
請求項９記載の発明である乳幼児うつ伏せ寝検出装置は、請求項１乃至請求項７のいずれか１項に記載された発明において、センサ部は乳幼児のうつ伏せ寝に伴って加えられる荷重を検出する構造を備えるものである。
上記構成の乳幼児うつ伏せ寝検出装置においては、請求項１乃至請求項７のいずれか１項に記載された発明と同様の作用を有するとともに、乳幼児のうつ伏せ寝の程度に応じた種々の荷重がセンサ部で検出されるという作用を有する。
【００２１】
請求項１０記載の発明である乳幼児うつ伏せ寝検出装置は、請求項１乃至請求項７のいずれか１項に記載された発明において、センサ部は重力加速度を含む加速度を検出する構造を備えるものである。
上記構成の乳幼児うつ伏せ寝検出装置においては、請求項１乃至請求項７のいずれか１項に記載された発明と同様の作用を有するとともに、乳幼児の動作状況に応じた種々の加速度が検出されるという作用を有する。
【００２２】
請求項１１記載の発明である乳幼児うつ伏せ寝検出装置は、請求項１０に記載された発明において、第１制御部は、センサ部により検出された加速度から乳幼児の体の傾きを示す角度を算出し、この角度が予め設定された許容値を超えた場合にＯＮ信号を発信する構造を備えるものである。
上記構成の乳幼児うつ伏せ寝検出装置においては、請求項１０に記載された発明と同様の作用を有するとともに、乳幼児がうつ伏せ寝になったかどうかを判断する材料として、乳幼児の体の傾きを示す角度が用いられるという作用を有する。
【００２３】
請求項１２記載の発明である乳幼児うつ伏せ寝検出装置は、請求項１０又は請求項１１に記載された発明において、第１制御部は、センサ部により検出された加速度から乳幼児の体の傾きを示す角度又は角速度を算出し、この角度が予め設定された第１の許容値を超えて変化した場合若しくはこの角速度が予め設定された第２の許容値を超えた場合に乳幼児が目覚めたことを示す信号（以下、ＷＡＫＥ−ＵＰ信号という。）を発信する構造を備えるものである。
上記構成の乳幼児うつ伏せ寝検出装置においては、請求項１０又は請求項１１に記載された発明と同様の作用を有するとともに、乳幼児が目覚めたかどうかを判断する材料として、乳幼児の体の傾きを示す角度若しくはその角速度が用いられるという作用を有する。
【００２４】
請求項１３記載の発明である乳幼児うつ伏せ寝検出装置は、請求項１０乃至請求項１２のいずれか１項に記載された発明において、第１制御部は、センサ部により検出された加速度から水平面内における並進運動を表す信号を分離し、この信号の大きさが予め設定された許容値を超えた場合に乳幼児がハイハイしていることを示す信号（以下、ＣＲＡＷＬ信号という。）を発信する構造を備えるものである。
上記構成の乳幼児うつ伏せ寝検出装置においては、請求項１０乃至請求項１２のいずれか１項に記載された発明と同様な作用を有するとともに、乳幼児がハイハイしているかどうかを判断する材料として、乳幼児の水平面方向についての並進運動を表す加速度が用いられるという作用を有する。
【００２５】
請求項１４記載の発明である乳幼児うつ伏せ寝検出装置は、請求項１０乃至請求項１３のいずれか１項に記載された発明において、第１制御部は、センサ部により検出された加速度から乳幼児の呼吸又は脈拍の状態を表す信号を分離し、この信号がＯＮ信号の発信中に不規則なパターンを示した場合に危険信号を発信する構造を備えるものである。
上記構成の乳幼児うつ伏せ寝検出装置においては、請求項１０乃至請求項１３のいずれか１項に記載された発明と同様な作用を有するとともに、乳幼児がうつ伏せ寝であり、かつ乳幼児の呼吸や脈拍のパターンが乱れた場合には危険信号が発信されるという作用を有する。
【００２６】
請求項１５記載の発明である乳幼児うつ伏せ寝検出装置は、請求項１乃至請求項１４のいずれか１項に記載された発明において、第１制御部及び第２制御部に代えてそれらを一体にして両方の機能を備えた制御部を有し、検知部と本体部が一体に構成されるものである。
上記構成の乳幼児うつ伏せ寝検出装置においては、請求項１乃至請求項１４のいずれか１項に記載された発明と同様な作用を有するとともに、検知部では制御部がセンサ部を監視し、センサ部が乳幼児のうつ伏せ寝を検知すると制御部は本体部のアラーム部に対して動作開始の指令を出し、アラーム部はその指令に従って、光、音声、振動又はその組合せたものを発生し、あるいは文字を使ったものを表示して報知するという作用を有する。
【発明の効果】
【００２７】
以上説明したように、本発明の請求項１に記載の乳幼児うつ伏せ寝検出装置においては、簡単な機構で持ち運びが便利であり、寝具上でその位置が大きく変化しやすい乳幼児について、そのうつ伏せ寝を確実に検出して報知することができ、周囲の者は乳幼児を常時監視していなくてもその窒息事故を未然に防ぐことができる。
【００２８】
本発明の請求項２に記載の乳幼児うつ伏せ寝検出装置においては、例えば乳幼児が居る部屋と異なる部屋に監視者が居る場合であっても、請求項１に記載の発明と同様の効果を得ることができる。
【００２９】
本発明の請求項３に記載の乳幼児うつ伏せ寝検出装置においては、請求項２に記載された発明と同様な効果を有するとともに、発信部と受信部の距離を短くし、第２制御部から生成される報知信号を有線や無線によって外部受信部に送信することによって、発信部から発生される電磁波を微弱として乳幼児を保護することができる。また、外部受信部を既存の例えば固定電話や携帯電話とすることができ、システムに汎用性を持たせることも可能である。
【００３０】
本発明の請求項４に記載の乳幼児うつ伏せ寝検出装置においては、請求項３に記載された発明と同様な効果を有するとともに、例えば乳幼児が居る部屋と異なる部屋に監視者が居る場合であっても、乳幼児の泣き声などの音声を監視者が聞くことができ、また、監視者は言葉をかけて乳幼児をあやすことができる。
【００３１】
本発明の請求項５に記載の乳幼児うつ伏せ寝検出装置においては、請求項１乃至請求項４のいずれか１項に記載された発明と同様な効果を有するとともに、例えば乳幼児が居る部屋と異なる部屋に監視者が居る場合であっても、監視者は乳幼児のおむつを交換する時期を知ることができる。
【００３２】
本発明の請求項６に記載の乳幼児うつ伏せ寝検出装置においては、請求項１乃至請求項５のいずれか１項に記載された発明と同様な効果を有するとともに、乳幼児が一度うつ伏せになった後に短時間で口や鼻腔が寝具により塞がれず窒息する可能性が無い横向きや仰向けなどのうつ伏せ以外の姿勢になった場合に、乳幼児がうつ伏せ寝であるとの誤った報知をしないようにすることができる。
【００３３】
本発明の請求項７に記載の乳幼児うつ伏せ寝検出装置においては、請求項６に記載された発明と同様な効果を有する。
【００３４】
本発明の請求項８に記載の乳幼児うつ伏せ寝検出装置においては、請求項１乃至請求項７のいずれか１項に記載された発明と同様な効果を有するとともに、センサ部が簡単な構造であるため、検知部の小型化及び軽量化が可能となる。
【００３５】
本発明の請求項９に記載の乳幼児うつ伏せ寝検出装置においては、請求項１乃至請求項７のいずれか１項に記載された発明と同様な効果を有するとともに、乳幼児がうつ伏せ寝になって予め設定された所定の荷重がセンサ部に加えられた場合に、それをトリガーとして電気信号を発生させることができる。
【００３６】
本発明の請求項１０に記載の乳幼児うつ伏せ寝検出装置は、請求項１乃至請求項７のいずれか１項に記載された発明と同様な効果を有するとともに、例えば、直交座標系の３軸方向の加速度を検知可能なセンサを乳幼児に装着することにより、乳幼児の体の傾きを示す角度やその角速度及び並進運動方向についての加速度を検出することができる。また、乳幼児の胸部に加速度センサを装着すれば、乳幼児の呼吸や脈拍を検知することも可能である。
【００３７】
本発明の請求項１１に記載の乳幼児うつ伏せ寝検出装置は、請求項１０に記載された発明と同様な効果を有するとともに、乳幼児の体の傾きを示す所定の角度を許容値として設定して、その許容値を超えた場合にＯＮ信号を発信することで、うつ伏せ寝の検出精度をより高めることができる。
【００３８】
本発明の請求項１２に記載の乳幼児うつ伏せ寝検出装置は、請求項１０又は請求項１１に記載された発明と同様な効果を有するとともに、乳幼児の体の傾きを示す所定の角度又は角速度を許容値として設定し、その許容値を超える場合にＷＡＫＥ−ＵＰ信号を発信することで、乳幼児の目覚めの検出精度をより高めることができる。
【００３９】
本発明の請求項１３に記載の乳幼児うつ伏せ寝検出装置は、請求項１０乃至請求項１２のいずれか１項に記載された発明と同様な効果を有するとともに、センサ部に検出された加速度から分離された水平面内における並進運動を表す信号に関して予め設定された値を許容値として設定して、この許容値を超えた場合に乳幼児がハイハイをしているとしてＣＲＡＷＬ信号を発信することで、乳幼児のハイハイ動作の検出精度をより高めることができる。
【００４０】
本発明の請求項１４に記載の乳幼児うつ伏せ寝検出装置は、請求項１０乃至請求項１３のいずれか１項に記載された発明と同様な効果を有するとともに、うつ伏せ寝の状態にある乳幼児について、その状況の危険度をより正確に監視者に報知することが可能である。
【００４１】
本発明の請求項１５に記載の乳幼児うつ伏せ寝検出装置においては、請求項１乃至請求項１４に記載された発明と同様な効果を有するとともに、請求項１に記載の発明と比べて本体部の構造をより簡単にすることができるため、持ち運びがさらに容易となる。
【発明を実施するための最良の形態】
【００４２】
以下に、本発明の最良の実施の形態に係る乳幼児うつ伏せ寝検出装置の実施例を図１乃至図１７に基づき説明する。
【実施例１】
【００４３】
実施例１について図１及び図２を用いて説明する（特に、請求項１及び請求項８に対応）。図１は本発明の実施の形態に係る乳幼児うつ伏せ寝検出装置の実施例１の構成図である。
乳幼児うつ伏せ寝検出装置は、まだ寝返りを完全に行うことのできない乳幼児が誤ってうつ伏せ寝の状態になった場合に、警報を発して周囲の者に危険を知らせることのできるものであり、乳幼児の窒息事故防止のために使用するものである。
図１に示すように乳幼児うつ伏せ寝検出装置は、乳幼児１の着衣１０の表面に設けられる検知部２と、この検知部２とケーブル１１により電気的に接続され同じく乳幼児１の着衣１０の表面に設けられる本体部６とを備え、検知部２はセンサ部３と、このセンサ部３を監視する第１制御部４とを備え、本体部６は第１制御部４からのＯＮ信号を受信する第２制御部８と、その第２制御部８からの指令を受けて動作するアラーム部９とを備えた構造となっている。
【００４４】
アラーム部９は、図１に示す実施例１の乳幼児うつ伏せ寝検出装置では、乳幼児の肩の近くに取り付けられているが、センサ部３あるいは第１制御部４の近くでもよいし、音声の発生による報知を妨げないような位置、例えば乳幼児１の背面側に取り付けてもよい。
【００４５】
センサ部３は、荷重が作用するとスイッチがＯＦＦからＯＮに切り替わるように構成された薄型のスイッチとする。例えばプラスチック製フィルム上に導電性のペースト（銀とカーボン）の回路パターンをスクリーン印刷し、スペーサなどの部材を重ねることでスイッチの機能を持たせたシート状スイッチを用いることができる。これ以外にも使用可能なスイッチとしてタクトスイッチ、モメンタリスイッチ、傾斜スイッチなどがある。また、シート状スイッチの代わりに、センサ部３として、プラスチック製板の中に加圧導電性ゴムセンサを密封内蔵した薄型スイッチを使用してもよい。あるいは、センサ部３は、ロードセルや圧力センサのように、センサ部分に加えられた力を検出する構造を備えたものとしてもよいし、加速度ピックアップのように、乳幼児の体の傾きを示す角度を検出する構造を備えたものとしてもよい。さらに、センサ部３は１つに限らず複数使用してもよい。
【００４６】
アラーム部９は、図１に示す実施例１の乳幼児うつ伏せ寝検出装置では、スピーカにより音声を発生する構造としているが、光、音声、振動又はその組合せたものを発生し、あるいは文字を使ったものを表示する構造としてもよい。
【００４７】
検知部２の乳幼児１の着衣１０への取り付けは、不織布又はプラスチック製フィルムの両面に粘着材を塗布したテープや安全ピンあるいは面ファスナー等の取り付け具を用いて行う。また、取り付け具は、凸型と凹型の２種類の形状を嵌合させる構造のプラスチック製の装着具（いわゆるスナップ）としてもよい。
さらに、検知部２の取り付けを容易にするために、予め取り付け具を組み込んだベスト状の着衣１０を使用してもよい。また、センサ部３あるいは検知部２の取付け位置は図１に示した実施例に限定されるものではなく、胸部、首部あるいは肩部としも良い。また、着衣表面に限らず身体表面に装着しても良い。
【００４８】
本体部６は、図１に示す実施例１の乳幼児うつ伏せ寝検出装置では乳幼児１の着衣１０表面に取り付けられた構造としているが、長いケーブル１１を使用して乳幼児１から離して設置してもよい。
【００４９】
次に、本実施例１の乳幼児うつ伏せ寝検出装置の動作について説明する。図２（ａ）及び（ｂ）はそれぞれ本発明の実施の形態に係る乳幼児うつ伏せ寝検出装置の実施例１における第１制御部４及び第２制御部８の動作手順を示すフローチャートである。
図２（ａ）を用いて第１制御部４の動作手順について説明する。まず、ステップＳ１でうつ伏せ寝検出装置の図示しないスイッチを入れると第１制御部４はステップＳ２で稼動を開始し、ステップＳ３でセンサ部３の監視を始める。次に、乳幼児１のうつ伏せ寝に伴ってセンサ部３のスイッチがＯＦＦからＯＮに切り替わると、第１制御部４はステップＳ４でセンサ部３のスイッチがＯＮ状態であると判断し、ステップＳ５でＯＮ信号を発信した後、ステップＳ３に戻り再びセンサ部３の監視を始める。一方、第１制御部４はステップＳ４でセンサ部３のスイッチがＯＦＦ状態であると判断するとステップＳ６で第１制御部４自身がＯＮ信号を発信中であるか否かを確認し、ＯＮ信号を発信中であると判断した場合はステップＳ７でＯＮ信号の発信を停止した後、ステップＳ３に戻り再びセンサ部３の監視を始め、ステップＳ６で第１制御部４自身がＯＮ信号を発信中でないと判断した場合は、ステップＳ３に戻り再びセンサ部３の監視を始める。
次に、図２（ｂ）を用いて第２制御部８の動作手順について説明する。まず、ステップＳ１でうつ伏せ寝検出装置の図示しないスイッチを入れると第２制御部８はステップＳ２で稼動を開始し、ステップＳ３で第２制御部８自身のＯＮ信号受信の監視を始め、ステップＳ４でＯＮ信号を受信したと判断するとステップＳ５でアラーム部９へ動作開始の指令を出す。次に、ステップＳ６でアラーム部９が第２制御部８の指令に従って音声を発生した後、第２制御部８はステップＳ３に戻り再び第２制御部８自身のＯＮ信号受信の監視を始める。一方、第２制御部８はステップＳ４でＯＮ信号を受信していないと判断し、さらにステップＳ７でアラーム部９が動作中であると判断した場合はステップＳ８でアラーム部９へ動作停止の指令を出し、ステップＳ９でアラーム部９が音声の発生を停止すると、第２制御部８はステップＳ３に戻り再び第２制御部８自身のＯＮ信号受信の監視を始める。また、第２制御部８はステップＳ７でアラーム部９が動作中でないと判断した場合はステップＳ３に戻り再び第２制御部８自身のＯＮ信号受信の監視を始める。なお、第１制御部４は一度ＯＮ信号を発信すると次にその発信を停止する判断を行うまでＯＮ信号の発信動作を継続し、アラーム部９は一度動作を開始すると次に第２制御部８から動作停止の指令があるまで現在の動作を継続して行うものとする。しかし、第１制御部４及びアラーム部９は本実施例の構造に限定されるものではなく、第１制御部４はスイッチがＯＮ状態であると判断した場合にＯＮ信号を一度だけ発信し、アラーム部９は第２制御部８からの動作開始の指令を受けている間のみ動作する構造としても良い。
【００５０】
以上説明したように、本実施例の乳幼児うつ伏せ寝検出装置は、着衣１０の表面に取り付けるため、寝具上でその位置が大きく変化しやすい乳幼児１のうつ伏せ寝を確実に検出して報知することが可能であり周囲の者は乳幼児１を常時監視することなくその窒息事故を未然に防ぐことができる。また、検知部２と本体部６が一体構造となっているため、機構を簡単にすることが可能であり持ち運びが容易となる。さらに、センサ部が簡単な構造であるため、検知部の小型化及び軽量化が可能である。
【実施例２】
【００５１】
次に実施例２について図３及び図４を用いて説明する（特に、請求項２及び請求項８に対応）。図３は本発明の実施の形態に係る乳幼児うつ伏せ寝検出装置の実施例２の構成図である。実施例１では検知部２と本体部６をケーブル１１により電気的に接続した一体構造であるのに対し、実施例２では検知部２と本体部６を離した構造としている。
図３に示すように乳幼児うつ伏せ寝検出装置は、乳幼児１の着衣１０の表面に設けられる検知部２と、この検知部２から離して設けられる本体部６とを備え、検知部２はセンサ部３と、このセンサ部２を監視する第１制御部４と、センサ部３のスイッチがＯＮとなった場合に第１制御部４から指令を受けてＯＮ信号を電磁波に変換して発信する発信部５とを備え、本体部６は発信部５からのＯＮ信号を受信する受信部７と、その受信部７を監視する第２制御部８と、受信部７がＯＮ信号を受信した場合に第２制御部８からの指令を受けて光や音声を発生して報知するアラーム部９とを備えた構造となっている。
【００５２】
発信部５は、図３に示す実施例２の乳幼児うつ伏せ寝検出装置では乳幼児の肩の近くに取り付けられているが、センサ部３あるいは第１制御部４の近くでもよいし、乳幼児１がうつ伏せ寝になったことを示す信号の発信を妨げないような位置、例えば乳幼児１の背面側に取り付けてもよい。
センサ部３と取り付け具については実施例１と同様のため、説明を省略する。また、アラーム部９は、図３に示す実施例２の乳幼児うつ伏せ寝検出装置では、スピーカにより光や音声を発生する構造としているが、光、音声、振動又はその組合せたものを発生し、あるいは文字を使ったものを表示する構造としてもよい。
【００５３】
本体部６は、図３に示す実施例２の乳幼児うつ伏せ寝検出装置では、乳幼児１から離して設置された構造としているが、検知部２と同じく乳幼児１の着衣１０表面に取り付けた構造としてもよい。
【００５４】
次に、本実施例２の乳幼児うつ伏せ寝検出装置の動作について説明する。図４（ａ）及び（ｂ）はそれぞれ本発明の実施の形態に係る乳幼児うつ伏せ寝検出装置の実施例２における第１制御部４及び第２制御部８の動作手順を示すフローチャートである。
図４（ａ）を用いて第１制御部４の動作手順について説明する。まず、ステップＳ１でうつ伏せ寝検出装置の図示しないスイッチを入れると第１制御部４はステップＳ２で稼動を開始し、ステップＳ３でセンサ部３の監視を始める。次に、乳幼児１のうつ伏せ寝に伴ってセンサ部３のスイッチがＯＦＦからＯＮに切り替わると、第１制御部４はステップＳ４でセンサ部３のスイッチがＯＮ状態であると判断し、ステップＳ５で発信部５へ動作開始の指令を出す。ステップＳ６で発信部５は第１制御部４の指令に従ってＯＮ信号を発信した後、第１制御部４はステップＳ３に戻り再びセンサ部３の監視を始める。一方、第１制御部４はステップＳ４でセンサ部３のスイッチがＯＦＦ状態であると判断し、ステップＳ７で発信部５がＯＮ信号を発信中であるか否かを確認し、ＯＮ信号を発信中であると判断した場合はステップＳ８で発信部５へ動作停止の指令を出す。第１制御部４はステップＳ９で発信部５がＯＮ信号の発信を停止した後、ステップＳ３に戻り再びセンサ部３の監視を始める。ステップＳ７で発信部５がＯＮ信号を発信中でないと判断した場合は、第１制御部４はステップＳ３に戻り再びセンサ部３の監視を始める。
次に、図４（ｂ）を用いて第２制御部８の動作手順について説明する。まず、ステップＳ１でうつ伏せ寝検出装置の図示しないスイッチを入れると第２制御部８はステップＳ２で稼動を開始し、ステップＳ３で受信部７の監視を始め、ステップＳ４で受信部７がＯＮ信号を受信したと判断するとステップＳ５でアラーム部９へ動作開始の指令を出す。第２制御部８はステップＳ６でアラーム部９が光や音声を発生した後、ステップＳ３に戻り再び受信部７の監視を始める。一方、第２制御部８はステップＳ４で受信部７がＯＮ信号を受信していないと判断し、さらにステップＳ７でアラーム部９が動作中であると判断した場合はステップＳ８でアラーム部９へ動作停止の指令を出す。ステップＳ９でアラーム部９が光や音声の発生を停止すると、第２制御部８はステップＳ３に戻り再び受信部７の監視を始める。また、第２制御部８はステップＳ７でアラーム部９が動作中でないと判断した場合はステップＳ３に戻り再び受信部７の監視を始める。なお、発信部５は一度ＯＮ信号を発信すると次に第１制御部４からその動作を停止する指令を受けるまでＯＮ信号の発信動作を継続し、アラーム部９は一度動作を開始すると次に第２制御部８から動作停止の指令を受けるまで現在の動作を継続して行うものとする。しかし、第１制御部４及びアラーム部９は本実施例の構造に限定されるものではなく、発信部５及びアラーム部９はそれぞれ第１制御部４及び第２制御部８からの動作開始の指令を受けている間のみ動作する構造としても良い。
【００５５】
以上説明したように、本実施例の乳幼児うつ伏せ寝検出装置は、例えば乳幼児１が居る部屋と異なる部屋に監視者が居る場合でも、実施例１と同様の効果を得ることができる。
【実施例３】
【００５６】
さらに、実施例３について図５及び図６を用いて説明する（特に、請求項３及び請求項８に対応）。図５は本発明の実施の形態に係る乳幼児うつ伏せ寝検出装置の実施例３の構成図である。実施例２ではアラーム部９を備えた本体部６が報知機能を有するのに対し、実施例３では外部受信部１２が報知機能を有することを特徴とする。
図５に示すように乳幼児うつ伏せ寝検出装置は、乳幼児１の着衣１０の表面に設けられる検知部２と、この検知部２から離して設けられる本体部６と、外部受信部１２とを備え、検知部２はセンサ部３と、このセンサ部２を監視する第１制御部４と、センサ部３のスイッチがＯＮとなった場合に第１制御部４から指令を受けてＯＮ信号を電磁波に変換して発信する発信部５とを備え、本体部６は発信部５からのＯＮ信号を受信する受信部７と、その受信部７がＯＮ信号を受信した場合に報知信号を生成する第２制御部８とを備え、外部受信部１２は有線により電気的に接続された固定電話１３、報知信号を受信可能な携帯電話１４、報知信号を受けて光、音声、振動又はこの組み合わせたものを発生する受令機１５のいずれか一つ又はその組み合わせたものを備えた構造となっている。
【００５７】
発信部５、センサ部３、アラーム部９、取り付け具、本体部６の設置位置については実施例２と同様のため、説明を省略する。また、外部受信部１２としてポケットベル（登録商標）などを使用しても良い。さらに、第２制御部８が電話回線を通して携帯電話１４に報知信号を送る構造としても良い。また、受令機１５は報知信号を受けた場合に、文字を使ったものを表示する構造としてもよい。
【００５８】
本実施例の乳幼児うつ伏せ寝検出装置の動作について説明する。第１制御部４の動作手順は実施例２と同様のため、説明を省略する。図６は本発明の実施の形態に係る乳幼児うつ伏せ寝検出装置の実施例３における第２制御部８の動作手順を示すフローチャートである。
図６を用いて第２制御部８の動作手順について説明する。まず、ステップＳ１でうつ伏せ寝検出装置の図示しないスイッチを入れると第２制御部８はステップＳ２で稼動を開始し、ステップＳ３で受信部７の監視を始め、ステップＳ４で受信部７がＯＮ信号を受信したと判断するとステップＳ５で外部受信部１２へ報知信号を送信した後、ステップＳ３に戻り再び受信部７の監視を始める。一方、第２制御部８はステップＳ４で受信部７がＯＮ信号を受信していないと判断し、さらにステップＳ６で外部受信部１２に報知信号を送信中であると判断した場合はステップＳ７で報知信号の送信を停止してステップＳ３に戻り再び受信部７の監視を始める。また、第２制御部８はステップＳ６で報知信号を送信中でないと判断した場合はステップＳ３に戻り再び受信部７の監視を始める。なお、第２制御部８は一度報知信号を送信すると次にその動作を停止する判断を行うまで報知信号の送信を継続し、外部受信部１２は第２制御部８からの報知信号を受信している間のみ動作するものとする。しかし、第２制御部８は本実施例の構造に限定されるものではなく、受信部７がＯＮ信号を受信している間のみ外部受信部１２に報知信号を送信する構造としても良い。
【００５９】
以上説明したように、本実施例の乳幼児うつ伏せ寝検出装置は、実施例２と同様の効果を得ることができるとともに、発信部５から発せられる電磁波を微弱な電磁波とし、受信部７を発信部５の近傍に設置しておき、第２制御部８からは有線によって固定電話１３に対し、あるいは電話回線を通して携帯電話１４に対し、又は発信部５からの電磁波よりも強い電磁波によって受令機１５に対して報知信号を発信することで、抵抗力の小さな乳幼児を電磁波から保護することが可能である。
【００６０】
本体部６は実施例２と同様に第２制御部８の指令を受けて光や音声を発生し、あるいは文字を使ったものを表示して報知するアラーム部９を備えた構造としても良く、この場合には上記の効果に加えて本体部６の近くにいる人に対しても乳幼児１のうつぶせ寝を報知することが可能である。
【実施例４】
【００６１】
次に実施例４について図７を用いて説明する（特に、請求項１、請求項６及び請求項８に対応）。本実施例は実施例１乃至実施例３のいずれかと構成が同じであるため、同一の符号を付してその説明を省略し、実施例１乃至実施例３のいずれかと異なる作用を有する第１制御部４の動作手順について説明する。図７は本発明の実施の形態に係る乳幼児うつ伏せ寝検出装置の実施例４における第１制御部４の動作手順を実施例１の構成要素について説明したフローチャートである。
まず、ステップＳ１でうつ伏せ寝検出装置の図示しないスイッチを入れると第１制御部４はステップＳ２で稼動を開始し、ステップＳ３でセンサ部３の監視を始める。次に、乳幼児１のうつ伏せ寝に伴いセンサ部３のスイッチがＯＦＦからＯＮに切り替わると、第１制御部４はステップＳ４でスイッチのＯＮ状態が予め設定された時間以上続いていると判断するとステップＳ５でＯＮ信号を発信した後、ステップＳ３に戻り再びセンサ部３の監視を始める。一方、第１制御部４はステップＳ４でセンサ部３のスイッチのＯＮ状態の継続時間が予め設定された時間を超えていないと判断した場合にはステップＳ６で第１制御部４自身がＯＮ信号を発信中であるか否かを確認し、ＯＮ信号を発信中であると判断した場合はステップＳ７でＯＮ信号の発信を停止した後、ステップＳ３に戻り再びセンサ部３の監視を始め、ステップＳ６で第１制御部４自身がＯＮ信号を発信中でないと判断した場合は、ステップＳ３に戻り再びセンサ部３の監視を始める。
なお、上記の説明において、ステップＳ５で第１制御部４自身がＯＮ信号を発信する手順を第１制御部４の指令に従って発信部５がＯＮ信号を発信する手順に置き換え、ステップＳ７で第１制御部４自身がＯＮ信号の発信を停止する手順を第１制御部４の指令に従って発信部５がＯＮ信号の発信を停止する手順に置き換えると、実施例２又は実施例３の構成要素についての本実施例における第１制御部４の動作手順を説明するフローチャートとなる。
【００６２】
以上説明したように、本実施例の乳幼児うつ伏せ寝検出装置は、実施例１乃至実施例３のいずれかと同様な効果を有するとともに、乳幼児が一度うつ伏せになった後に短時間で口や鼻腔が寝具により塞がれず窒息を起こさない横向きや仰向けなどのうつ伏せ以外の姿勢になった場合に、乳幼児がうつ伏せ寝であるとの誤った報知をしないようにすることができる。
【実施例５】
【００６３】
次に、実施例５について図８を用いて説明する（特に、請求項１、請求項６及び請求項９に対応）。本実施例は実施例１乃至実施例３のいずれかにおいてセンサ部３が乳幼児１のうつ伏せ寝に伴って加えられた荷重を検出する構造を備えたものであり、実施例４ではセンサ部３のスイッチのＯＮ／ＯＦＦ状態を第１制御部４が監視する構造であるのに対し、本実施例では予め設定された値を超える荷重をセンサ部３が検出したか否かを第１制御部４が監視する構造を備えたことを特徴とする。なお、実施例１乃至実施例３のいずれかと同一構成部分については同一符号を付してその説明を省略する。図８は本発明の実施の形態に係る乳幼児うつ伏せ寝検出装置の実施例５における第１制御部４の動作手順を実施例２又は実施例３の構成要素について説明したフローチャートである。
まず、ステップＳ１でうつ伏せ寝検出装置の図示しないスイッチを入れると第１制御部４はステップＳ２で稼動を開始し、ステップＳ３でセンサ部３の監視を始める。次に、乳幼児１のうつ伏せ寝に伴ってセンサ部３に荷重が加えられ、第１制御部４はステップＳ４でセンサ部３が予め設定された値以上の荷重を予め設定された時間を超えて連続して検出したと判断するとステップＳ５で発信部５へ動作開始の指令を出し、ステップＳ６で発信部５がＯＮ信号を発信した後、ステップＳ３に戻り再びセンサ部３の監視を始める。一方、第１制御部４はステップＳ４でセンサ部３が予め設定された値以上の荷重を予め設定された時間を超えて連続して検出したと判断しない場合には発信部５がＯＮ信号を発信中であるか否かを確認し、ステップＳ７で発信部５がＯＮ信号を発信中であると判断するとステップＳ８で発信部５へ動作停止の指令を出す。第１制御部４はステップＳ９で発信部５がＯＮ信号の発信を停止した後、ステップＳ３に戻り再びセンサ部３の監視を始め、ステップＳ７で発信部５がＯＮ信号を発信中でないと判断した場合は、ステップＳ３に戻り再びセンサ部３の監視を始める。
なお、上記の説明において、ステップＳ５及びステップＳ６で第１制御部４の指令に従って発信部５がＯＮ信号を発信する手順を第１制御部４自身がＯＮ信号を発信する手順に置き換え、ステップＳ８及びステップＳ９で第１制御部４の指令に従って発信部５がＯＮ信号の発信を停止する手順を第１制御部４自身がＯＮ信号の発信を停止する手順に置き換えると、実施例１の構成要素についての本実施例における第１制御部４の動作手順を説明するフローチャートとなる。
【００６４】
以上説明したように、本実施例の乳幼児うつ伏せ寝検出装置は、実施例４と同様の効果を有する。
【実施例６】
【００６５】
次に、実施例６について図９を用いて説明する（特に、請求項７に対応）。本実施例は実施例１又は実施例２と構成が同じであるため、同一の符号を付してその説明を省略し、実施例１又は実施例２の場合と異なる作用を有する第２制御部８の動作手順について説明する。図９は本発明の実施の形態に係る乳幼児うつ伏せ寝検出装置の実施例６における第２制御部８の動作手順を実施例１乃至実施例３のいずれかの構成要素について説明したフローチャートである。
まず、ステップＳ１でうつ伏せ寝検出装置の図示しないスイッチを入れると第２制御部８はステップＳ２で稼動を開始し、ステップＳ３で第２制御部８自身又は受信部７の監視を始める。次に、第２制御部８はステップＳ４で第２制御部８自身又は受信部７が予め設定された時間を超えて連続してＯＮ信号を受信したと判断するとステップＳ５でアラーム部９へ動作開始の指令を出し、ステップＳ６でアラーム部９が光や音声を発生した後、ステップＳ３に戻り再び第２制御部８自身又は受信部７の監視を始める。一方、第２制御部８はステップＳ４で第２制御部８自身又は受信部７がＯＮ信号を連続して受信した時間が予め設定された時間を超えていないと判断し、さらにステップＳ７でアラーム部９が動作中であると判断した場合はステップＳ８でアラーム部９へ動作停止の指令を出し、ステップＳ９でアラーム部９が光や音声の発生を停止すると、第２制御部８はステップＳ３に戻り再び第２制御部８自身又は受信部７の監視を始め、ステップＳ７でアラーム部９が動作中でないと判断した場合はステップＳ３に戻り再び第２制御部８自身又は受信部７の監視を始める。
【００６６】
以上説明したように、本実施例の乳幼児うつ伏せ寝検出装置は、実施例４と同じ効果を有する。
【実施例７】
【００６７】
さらに、実施例７について図１０を用いて説明する（特に、請求項３及び請求項７に対応）。本実施例は実施例３と構成が同じであるため、同一の符号を付してその説明を省略し、実施例３の場合と異なる作用を有する第２制御部８の動作手順について説明する。図１０は本発明の実施の形態に係る乳幼児うつ伏せ寝検出装置の実施例７における第２制御部８の動作手順を示すフローチャートである。
まず、ステップＳ１でうつ伏せ寝検出装置の図示しないスイッチを入れると第２制御部８はステップＳ２で稼動を開始し、ステップＳ３で受信部７の監視を始める。次に、第２制御部８はステップＳ４で受信部７が予め設定された時間を超えて連続してＯＮ信号を受信したと判断するとステップＳ５で外部受信部１２へ報知信号を送信した後、ステップＳ３に戻り再び受信部７の監視を始める。一方、第２制御部８はステップＳ４で受信部７がＯＮ信号を連続して受信した時間が予め設定された時間を超えていないと判断し、さらにステップＳ６で外部受信部１２へ報知信号を送信中であると判断した場合はステップＳ７で報知信号の送信を停止してステップＳ３に戻り再び受信部７の監視を始め、ステップＳ６で外部受信部１２へ報知信号を送信中でないと判断した場合はステップＳ３に戻り再び受信部７の監視を始める。
【００６８】
以上説明したように、本実施例の乳幼児うつ伏せ寝検出装置は、実施例４と同じ効果を有する。
【実施例８】
【００６９】
実施例８について図１１を用いて説明する（特に、請求項１０乃至請求項１２に対応）。本実施例は実施例１乃至実施例３のいずれかにおいてセンサ部３が乳幼児１の体の傾きを示す角度を検出する構造を備え、第１制御部がリセットスイッチを備えたものであって、実施例１乃至実施例３のいずれかの検知部２が乳幼児１のうつ伏せ寝を検出する構造であるのに対し、本実施例の検知部２は乳幼児１のうつ伏せ寝及び乳幼児１の目覚めを検出する構造を備えたことを特徴とする。なお、実施例１乃至実施例３のいずれかと同一構成部分については同一符号を付してその説明を省略する。図１１は本発明の実施の形態に係る乳幼児うつ伏せ寝検出装置の実施例８における第１制御部４の動作手順を実施例２又は実施例３の構成要素について説明したフローチャートである。
図１１を用いて第１制御部４の動作手順について説明する。まず、ステップＳ１でうつ伏せ寝検出装置の図示しないスイッチを入れると第１制御部４はステップＳ２で稼動を開始し、ステップＳ３でリセットスイッチがＯＮであると判断するとステップＳ１２で発信部５へＷＡＫＥ−ＵＰ信号及びＯＮ信号の発信停止の指令を出し、ステップＳ１３で発信部５がＷＡＫＥ−ＵＰ信号及びＯＮ信号の発信を停止した後、第１制御部４はステップＳ３の動作に戻る。一方、第１制御部４はステップＳ３でリセットスイッチがＯＮでないと判断するとステップＳ４でセンサ部３の監視を始める。次に、ステップＳ５で第１制御部４はセンサ部３が検出した角度を前回センサ部３が検出した角度と比較し、ステップＳ６でその２つの角度が異なると判断すると、第１制御部４はステップＳ７で発信部５へＷＡＫＥ−ＵＰ信号発信開始の指令を出し、ステップＳ８で発信部５がＷＡＫＥ−ＵＰ信号を発信した後、ステップＳ９の動作に移る。また、ステップＳ６で第１制御部４がセンサ部３が検出した角度が前回検出した値と同じであると判断した場合、ステップＳ９の動作に移る。第１制御部４はステップＳ９でセンサ部３の検出角度が予め設定された値を超えていると判断するとステップＳ１０で発信部５へＯＮ信号発信開始の指令を出し、ステップＳ１１で発信部５がＯＮ信号を発信した後、ステップＳ３の動作に移る。一方、第１制御部４はステップＳ９でセンサ部３の検出角度が予め設定された値を超えていないと判断すると、ステップＳ３の動作に移る。なお、乳幼児の体の傾きの角度は仰向け状態の０°からうつ伏せ寝の状態の１８０°の間のいずれかの値をとるものとする。よって、ステップＳ９において検出した角度が予め設定された値を超えていると判断する場合とは、例えば、センサ部３により検出された乳幼児の体の傾きの角度が１７０°を超えている場合に乳幼児がうつ伏せ寝の状態にあると判断する場合などをいう。また、ステップＳ６でセンサ部３により検出された角度を前回の検出値と比較して、変化があったかどうかを判断する場合においては、角度の変化量が予め設定した許容値を超えた場合のみ、角度が変化したとの判断を行うものとする。
次に、図２（ｂ）又は図４（ｂ)に示す第２制御部８がアラーム部９へ動作開始又は動作停止の指令を出す手順において、ステップＳ４の「ＯＮ信号」を「ＯＮ信号又はＷＡＫＥ−ＵＰ信号」に置き換えると、本実施例における第２制御部８の動作手順を実施例１又は実施例２の構成要素について説明したフローチャートとなる。また、図６に示す第２制御部８がＯＮ信号を受信して外部受信部１２へ報知信号を送信する手順において、ステップＳ４の「ＯＮ信号」を「ＯＮ信号又はＷＡＫＥ−ＵＰ信号」に置き換えると、本実施例における第２制御部８の動作手順を実施例３の構成要素について説明したフローチャートとなる。
さらに、上記の第１制御部４の説明において、ステップＳ７、ステップＳ８、ステップＳ１０、ステップＳ１１で第１制御部４の指令に従って発信部５がＷＡＫＥ−ＵＰ信号又はＯＮ信号を発信する手順をそれぞれ第１制御部４自身がＷＡＫＥ−ＵＰ信号又はＯＮ信号を発信する手順に置き換え、ステップＳ１２及びステップＳ１３で第１制御部４の指令に従って発信部５がＷＡＫＥ−ＵＰ信号及びＯＮ信号の発信を停止する手順を第１制御部４自身がＷＡＫＥ−ＵＰ信号及びＯＮ信号の発信を停止する手順に置き換えると実施例１の構成要素についての本実施例８における第１制御部４の動作手順を説明するフローチャートとなる。
【００７０】
以上説明したように、本実施例の乳幼児うつ伏せ寝検出装置は、実施例１乃至実施例３のいずれかと同様な効果を有するとともに、乳幼児が目覚めたことを検出して報知することができる。さらに、検知部のリセットスイッチを使用することにより強制的にこの報知動作を停止することができる。また、乳幼児のうつ伏せ寝及び目覚めの判断に使用する許容値を変更することにより、乳幼児のうつ伏せ寝及び目覚めの検出精度を調節することができる。
【実施例９】
【００７１】
次に実施例９について図１２及び図１３を用いて説明する（特に、請求項７及び請求項１０乃至請求項１２に対応）。本実施例は実施例１又は実施例２において第２制御部８にリセットスイッチを備え、検知部２において乳幼児１の体の傾きを示す角度の変化率（角速度）を検出して乳幼児１の目覚めを判断する構造を備えたことを特徴とする。実施例１又は実施例２と同じその他の構成部分については同一の符号を付してその説明を省略し、実施例１又は実施例２の場合と異なる作用を有する第１制御部４及び第２制御部８の動作手順について説明する。図１２は本発明の実施の形態に係る乳幼児うつ伏せ寝検出装置の実施例９における第１制御部４の動作手順を実施例２又は実施例３の構成要素について説明したフローチャートである。
図１２を用いて第１制御部４の動作手順について説明する。まず、ステップＳ１でうつ伏せ寝検出装置の図示しないスイッチを入れると第１制御部４はステップＳ２で稼動を開始し、ステップＳ３でリセットスイッチがＯＮであると判断するとステップＳ１１で発信部５へＷＡＫＥ−ＵＰ信号及びＯＮ信号の発信停止の指令を出し、ステップＳ１２で発信部５がＷＡＫＥ−ＵＰ信号及びＯＮ信号の発信を停止した後、第１制御部４はステップＳ３の動作に戻る。一方、第１制御部４はステップＳ３でリセットスイッチがＯＮでないと判断するとステップＳ４でセンサ部３の監視を始める。次に、ステップＳ５で第１制御部４はセンサ部３が検出した角速度が予め設定された値を超えていると判断すると、ステップＳ６で発信部５へＷＡＫＥ−ＵＰ信号発信開始の指令を出し、ステップＳ７で発信部５がその指令に従いＷＡＫＥ−ＵＰ信号を発信した後、ステップＳ８の動作に移る。また、ステップＳ５で第１制御部４がセンサ部３が検出した角速度が予め設定された値を超えていないと判断しステップＳ１３で発信部５がＷＡＫＥ−ＵＰ信号を発信中であると判断するとステップＳ１４で発信部５へＷＡＫＥ−ＵＰ信号の発信停止の指令を出し、ステップＳ１５で発信部５がその指令に従いＷＡＫＥ−ＵＰ信号の発信を停止した後、ステップＳ８の動作に移る。ステップＳ１３で発信部５がＷＡＫＥ−ＵＰ信号を発信中でない場合はステップＳ１４及びステップＳ１５を迂回してステップＳ８の動作に移る。第１制御部４はステップＳ８でセンサ部３の検出角度が予め設定された値を超えていると判断するとステップＳ９で発信部５へＯＮ信号発信開始の指令を出し、ステップＳ１０で発信部５がＯＮ信号を発信した後、ステップＳ３の動作に移る。一方、第１制御部４はステップＳ８でセンサ部３の検出角度が予め設定された値を超えていないと判断しステップＳ１６で発信部５がＯＮ信号を発信中であると判断するとステップＳ１７で発信部５へＯＮ信号発信停止の指令を出し、ステップＳ１８で発信部５がその指令に従いＯＮ信号の発信を停止した後、ステップＳ３に戻る。また、第１制御部４はステップＳ１６で発信部５がＯＮ信号を発信中でないと判断するとステップＳ３に戻る。なお、ステップＳ８において検出した角度が予め設定された値を超えていると判断する場合の説明については図１１のステップＳ９の場合と同様のため、説明を省略する。
また、上記の説明において、ステップＳ６、ステップＳ７、ステップＳ９、ステップＳ１０で第１制御部４の指令に従って発信部５がＷＡＫＥ−ＵＰ信号又はＯＮ信号を発信する手順をそれぞれ第１制御部４自身がＷＡＫＥ−ＵＰ信号又はＯＮ信号を発信する手順に置き換え、ステップＳ１１及びステップＳ１２で第１制御部４の指令に従って発信部５がＷＡＫＥ−ＵＰ信号及びＯＮ信号の発信を停止する手順を第１制御部４自身がＷＡＫＥ−ＵＰ信号及びＯＮ信号の発信を停止する手順に置き換え、ステップＳ１４、ステップＳ１５、ステップＳ１７、ステップＳ１８で第１制御部４の指令に従って発信部５がＷＡＫＥ−ＵＰ信号又はＯＮ信号の発信を停止する手順をそれぞれ第１制御部４自身がＷＡＫＥ−ＵＰ信号又はＯＮ信号の発信を停止する手順に置き換えると、実施例１の構成要素についての本実施例における第１制御部４の動作手順を説明するフローチャートとなる。
【００７２】
次に、図１３を用いて第２制御部８の動作手順について説明する。図１３は本発明の実施の形態に係る乳幼児うつ伏せ寝検出装置の実施例９における第２制御部８の動作手順を実施例２の構成要素について説明したフローチャートである。まず、ステップＳ１でうつ伏せ寝検出装置の図示しないスイッチを入れると第２制御部８はステップＳ２で稼動を開始し、ステップＳ３でリセットスイッチがＯＮであると判断するとステップＳ１１でアラーム部９へランプ発光及び音声発生の停止の指令を出し、ステップＳ１２でアラーム部９がランプの発光及び音声の発生を停止した後、第２制御部８はステップＳ３の動作に戻る。一方、第２制御部８はステップＳ３でリセットスイッチがＯＮでないと判断するとステップＳ４で受信部７の監視を行い、ステップＳ５でＷＡＫＥ−ＵＰ信号の連続受信時間が予め設定された時間を超えたと判断するとステップＳ６でアラーム部９へランプ発光の指令を出し、アラーム部９はその指令に従ってステップＳ７でランプを発光する。さらに、第２制御部８はステップＳ８でＯＮ信号の連続受信時間が予め設定された時間を超えたと判断すると、ステップＳ９でアラーム部９へ音声発生の指令を出し、ステップＳ１０でアラーム部９がその指令に従い音声を発生した後、ステップＳ３の動作に戻る。一方、第２制御部８はステップＳ５でＷＡＫＥ−ＵＰ信号の連続受信時間が予め設定された時間を超えていないと判断し、ステップＳ１３でアラーム部９がランプを発光中であると判断するとステップＳ１４でアラーム部９へランプ発光停止の指令を出し、ステップＳ１５でアラーム部９がその指令に従いランプの発光を停止した後、ステップＳ８の動作に移る。第２制御部８はステップＳ１３でアラーム部９がランプを発光中でないと判断するとステップＳ１４及びステップＳ１５を迂回してステップＳ８の動作に移る。また、第２制御部８はステップＳ８でＯＮ信号の連続受信時間が予め設定された時間を超えていないと判断し、ステップＳ１６でアラーム部９が音声を発生中であると判断するとステップＳ１７でアラーム部９へ音声発生停止の指令を出し、ステップＳ１８でアラーム部９がその指令に従い音声の発生を停止した後、ステップＳ３の動作に戻る。第２制御部８はステップＳ１６でアラーム部９が音声を発生中でないと判断するとステップＳ３の動作に戻る。
なお、上記の説明において、ステップＳ４でＯＮ信号又はＷＡＫＥ−ＵＰ信号の受信の有無について受信部７の監視をする手順を第２制御部８自身の監視をする手順に置き換えると、実施例１の構成要素についての本実施例における第２制御部８の動作手順を説明するフローチャートとなる。
アラーム部９は、図１３に示す本実施例の乳幼児うつ伏せ寝検出装置では、乳幼児１が目覚めたことをランプの発光で報知し、乳幼児１がうつ伏せ寝になったことを音声で報知する構造としているが、乳幼児１の目覚め及びうつ伏せ寝を光、音声、振動又はその組み合わせたものを発生し、あるいは文字を使ったものを表示して報知する構造としてもよい。
【００７３】
以上説明したように、本実施例の乳幼児うつ伏せ寝検出装置は、実施例８と同様な効果を有する。
【実施例１０】
【００７４】
実施例１０について図１４を用いて説明する（特に、請求項３、請求項７及び請求項１０乃至請求項１２に対応）。本実施例は実施例９を実施例３の構成要素に適用したものである。実施例９と同じ作用を有する第１制御部４の動作手順についてはその説明を省略し、実施例９の場合と異なる作用を有する第２制御部８の動作手順について説明する。図１４は本発明の実施の形態に係る乳幼児うつ伏せ寝検出装置の実施例１０における第２制御部８の動作手順を実施例３の構成要素について説明したフローチャートである。
【００７５】
図１４を用いて第２制御部８の動作手順について説明する。まず、ステップＳ１でうつ伏せ寝検出装置の図示しないスイッチを入れると第２制御部８はステップＳ２で稼動を開始し、ステップＳ３でリセットスイッチがＯＮであると判断するとステップＳ９で外部受信部１２への報知信号の送信を停止した後、第２制御部８はステップＳ３の動作に戻る。一方、第２制御部８はステップＳ３でリセットスイッチがＯＮでないと判断するとステップＳ４で受信部７の監視を行い、ステップＳ５でＷＡＫＥ−ＵＰ信号の連続受信時間が予め設定された時間を超えたと判断するとステップＳ６で外部受信部１２へ報知信号を送信する。さらに、第２制御部８はステップＳ７でＯＮ信号の連続受信時間が予め設定された時間を超えたと判断すると、ステップＳ８で外部受信部１２へ報知信号を送信した後、ステップＳ３の動作に戻る。一方、第２制御部８はステップＳ５でＷＡＫＥ−ＵＰ信号の連続受信時間が予め設定された時間を超えていないと判断し、ステップＳ１０で外部受信部１２へ報知信号を送信中であると判断するとステップＳ１１で外部受信部１２への報知信号の送信を停止した後、ステップＳ７の動作に移る。第２制御部８はステップＳ１０で外部受信部１２へ報知信号を送信中でないと判断するとステップＳ１１を迂回してステップＳ７の動作に移る。また、第２制御部８はステップＳ７でＯＮ信号の連続受信時間が予め設定された時間を超えていないと判断し、ステップＳ１２で外部受信部１２へ報知信号を送信中であると判断するとステップＳ１３で報知信号の送信を停止した後、ステップＳ３の動作に戻る。第２制御部８はステップＳ１２で外部受信部１２へ報知信号を送信中でないと判断するとステップＳ３の動作に戻る。
【００７６】
以上説明したように、本実施例の乳幼児うつ伏せ寝検出装置は、実施例９と同様な効果を有する。
【実施例１１】
【００７７】
実施例１１について図１５を用いて説明する（特に、請求項１５に対応）。実施例１では検知部２に第１制御部４を備え、本体部６に第２制御部８を備えた構造であるのに対し、実施例１１は第１制御部４と第２制御部８に代えてそれらを一体にして機能を備えた図示しない制御部を検知部２が有することを特徴とする。すなわち、本実施例は、図１において第１制御部４及び第２制御部８の機能を備えた制御部を第１制御部４の代わりに配置し、第２制御部８を外して制御部とアラーム部９を電気的に接続した構造としたことを特徴とする。なお、センサ部３とアラーム部９と取り付け具及び本体部６の取り付け位置については実施例１と同様のため、説明を省略する。
【００７８】
次に、本実施例の乳幼児うつ伏せ寝検出装置の動作について説明する。図１５は本発明の実施の形態に係る乳幼児うつ伏せ寝検出装置の実施例１１における制御部の動作手順を示すフローチャートである。
図１５を用いて制御部の動作手順について説明する。まず、ステップＳ１でうつ伏せ寝検出装置の図示しないスイッチを入れると制御部はステップＳ２で稼動を開始し、ステップＳ３でセンサ部３の監視を始める。次に、乳幼児１のうつ伏せ寝に伴ってセンサ部３のスイッチがＯＦＦからＯＮに切り替わると、制御部はステップＳ４でセンサ部３のスイッチがＯＮ状態であると判断しステップＳ５でアラーム部９へ動作開始の指令を出す。次に、ステップＳ６でアラーム部９が制御部の指令に従って音声を発生した後、制御部はステップＳ３に戻り再びセンサ部３の監視を始める。一方、制御部はステップＳ４でセンサ部３のスイッチがＯＦＦ状態であると判断し、ステップＳ７でアラーム部９が動作中であると判断するとステップＳ８でアラーム部９へ動作停止の指令を出し、ステップ９でアラーム部９が音声の発生を停止すると、制御部はステップＳ３に戻り再びセンサ部３の監視を始める。また、制御部はステップＳ７でアラーム部９が動作中でないと判断した場合はステップＳ３に戻り再びセンサ部３の監視を始める。
【００７９】
以上説明したように、本実施例の乳幼児うつ伏せ寝検出装置は、実施例１と同様な効果を有するとともに、実施例１に比べて本体部の構造をより簡単にすることができるため、持ち運びがさらに容易となる。
【実施例１２】
【００８０】
実施例１２について図１６及び図１７を用いて説明する（特に、請求項４、請求項５及び請求項１０乃至請求項１４に対応）。図１６は本発明の実施の形態に係る乳幼児うつ伏せ寝検出装置の実施例１２の構成図である。実施例３では信号の流れが検知部２から本体部６を経由して外部受信部１２へと一方向であるのに対し、本実施例は検知部２がマイクロホン１６ａとスピーカ１７ａと送受信部１９ａとを備え、外部受信部１２がマイクロホン１６ｂとスピーカ１７ｂを有する受令機１５を備え、本体部６が送受信機１９ｂを備え、送受信機１９ａ，１９ｂと受令機１５ａと第２制御部８は音声信号を双方向に伝達する機能を備えたことを特徴とする。また、本実施例では乳幼児１のおむつ２０にインピーダンス法により尿を検出する尿センサ部１８が装着され、乳幼児１の着衣１０の表面には尿センサ部１８と電気的に接続されるとともに尿センサ部１８が予め設定された値を超える尿を検知した場合に尿検知信号を発信する発信部５ａが装着されている。さらに、乳幼児１の肩部及び胸部には直交座標系の３軸方向の加速度が検出可能なセンサ部３ａ，３ｂが装着されている。なお、実施例３と同一の構成要素については同一の符号を付してその作用及び効果の説明を省略する。
上記構成の乳幼児うつ伏せ寝検出装置においては、マイクロホン１６ａに入力された乳幼児１の音声が送受信部１９ａにより電磁波の音声信号に変換されて送受信部１９ｂへ送信され、さらに第２制御部８から外部受信部１２へ送信され、受令機１５はこの音声信号を変換してスピーカ１７ｂから音声を発生させる。また、マイクロホン１６ｂに入力された監視者の音声は受令機１５により電磁波の音声信号に変換されて第２制御部８へ送信され、さらに送受信部１９ｂから送受信部１９ａへ送信され、送受信部１９ａはこの音声信号を変換してスピーカ１７ａから音声を発生させる。また、センサ部３ａにより検出される直交座標系の３軸方向の加速度から乳幼児１の体が仰向け状態からどの程度回転したかを示す角度及びその角速度が算出され、うつ伏せ寝や目覚めの判断に使用されるとともに、水平面内の並進運動方向の加速度からは乳幼児１のハイハイ動作の有無が検知される。さらに、センサ部３ｂによる加速度の測定結果から乳幼児１の呼吸や脈拍の状態が検出される。なお、うつ伏せ寝、目覚め、ハイハイ等の各種報知信号は、例えば受令機１５が発する光、音声、振動の組み合わせパターンを変えることにより、区別することが可能である。
なお、本実施例においては、本体部６の送受信部１９ｂ及び第２制御部８を介して音声の送受信がなされていたり、図５を参照して説明した実施例３では本体部６の受信部７及び第２制御部８を介して固定電話１３、携帯電話１４あるいは受令機１５などの外部受信部１２に報知信号を送信する構成となっているが、例えば本実施例における検知部２の送受信部１９ａの出力が十分大きい場合あるいは外部受信部１２の送受信感度が高い場合、さらに実施例３においても発信部５の出力が十分大きい場合や外部受信部１２の受信感度が高い場合には、本体部６を省略して、検知部２と外部受信部１２間で信号や音声などのやり取りを行なってもよいことは言うまでもない。また、センサ部３ａ，３ｂの装着箇所はそれぞれ肩部及び胸部に限定されるものではない。さらに、センサ部３ａにセンサ部３ｂの機能を持たせて、センサ部を１つとしても良い。
【００８１】
以上説明したように、本実施例の乳幼児うつ伏せ寝検出装置においては、例えば乳幼児が居る部屋と異なる部屋に監視者が居る場合であっても、乳幼児の泣き声などの音声を監視者が聞きながら言葉をかけて乳幼児をあやすことができるとともにおむつの交換時期を知ることができる。
【００８２】
次に、本実施例の乳幼児うつ伏せ寝検出装置の動作について説明する。図１７は本発明の実施の形態に係る乳幼児うつ伏せ寝検出装置の実施例１２における第１制御部４の動作手順を示すフローチャートである。
まず、ステップＳ１でうつ伏せ寝検出装置の図示しないスイッチを入れると第１制御部４はステップＳ２で稼動を開始し、ステップＳ３でリセットスイッチがＯＮであると判断するとステップＳ１７で送受信部１９ａへ全ての信号の発信停止の指令を出す。次に、ステップＳ１８で送受信部１９ａが全ての信号の発信を停止した後、第１制御部４はステップＳ３の動作に戻る。一方、第１制御部４はステップＳ３でリセットスイッチがＯＮでないと判断するとステップＳ４でセンサ部３の監視を始める。次に、ステップＳ５で第１制御部４はセンサ部３が検出した角速度が予め設定された値を超えていると判断すると、ステップＳ６で送受信部１９ａへＷＡＫＥ−ＵＰ信号発信開始の指令を出し、ステップＳ７で送受信部１９ａがその指令に従いＷＡＫＥ−ＵＰ信号を発信した後、ステップＳ８の動作に移る。また、ステップＳ５で第１制御部４がセンサ部３が検出した角速度が予め設定された値を超えていないと判断した場合はステップＳ６及びステップＳ７を迂回してステップＳ８の動作に移る。第１制御部４はステップＳ８でセンサ部３の検出角度が予め設定された値を超えていると判断するとステップＳ９で送受信部１９ａへＯＮ信号発信開始の指令を出し、ステップＳ１０で送受信部１９ａがＯＮ信号を発信した後、ステップＳ１１の動作に移る。一方、第１制御部４はステップＳ８でセンサ部３の検出角度が予め設定された値を超えていないと判断するとステップＳ３に戻る。次に、第１制御部４はステップＳ１１で乳幼児１の呼吸又は脈拍に異常があると判断するとステップＳ１２で送受信部１９ａへ危険信号発信開始の指令を出し、ステップＳ１３で送受信部１９ａは危険信号を発信し、ステップＳ３に戻る。第１制御部４はステップＳ１１で乳幼児の呼吸又は脈拍に異常がないと判断し、ステップＳ１４で乳幼児１がハイハイ中であると判断するとステップＳ１５で送受信部１９ａへＣＲＡＷＬ信号発信開始の指令を出し、ステップＳ１６で送受信部１９ａがＣＲＡＷＬ信号を発信した後、ステップＳ３に戻る。一方、ステップＳ１４で乳幼児１がハイハイ中でないと判断した場合には、第１制御部４はステップＳ３の動作に戻る。ここで、ステップＳ８において検出した角度が予め設定された値を超えていると判断する場合の説明については図１１のステップＳ９の場合と同様のため、説明を省略する。
なお、実施例１１の構成の乳幼児うつ伏せ寝検出装置に対しても本実施例は適用可能である。
【００８３】
以上説明したように、本実施例の乳幼児うつ伏せ寝検出装置においては、乳幼児がうつ伏せ寝になった場合に、目覚め、呼吸、脈拍、ハイハイの有無に関する情報を基にして乳幼児が置かれている状況の危険度をより正確に判断することが可能である。
【００８４】
なお、本発明は上記実施例に限定されるものではなく、種々変形可能である。例えば、乳幼児の目覚めの検知は、実施例１２のセンサ部３ａによる直交座標系の３軸方向の加速度の検出結果について周波数解析を行って高周波数成分を分離し、睡眠時の周波数成分が示す信号パターンと比較する方法により行うこともできる。また、実施例４及び実施例６の第１制御部４及び第２制御部８の制御手順は実施例１１の制御部又は実施例１２の第１制御部４及び第２制御部８に対しても適用可能である。さらに、受令機１５は報知信号を受けた場合に、文字を使ったものを表示する構造としてもよい。
【産業上の利用可能性】
【００８５】
監視対象者が誤って無理な姿勢に陥った場合に、監視者に対して即座に報知することができるため、乳幼児のうつ伏せ寝の検出のみならず、病院や一般家庭における高齢者や身体障害者の介護に適用できる。
【図面の簡単な説明】
【００８６】
【図１】本発明の実施の形態に係る乳幼児うつ伏せ寝検出装置の実施例１の構成図である。
【図２】（ａ）は本発明の実施の形態に係る乳幼児うつ伏せ寝検出装置の実施例１における第１制御部の動作手順を示すフローチャートであり、（ｂ）は本発明の実施の形態に係る乳幼児うつ伏せ寝検出装置の実施例１における第２制御部の動作手順を示すフローチャートである。
【図３】本発明の実施の形態に係る乳幼児うつ伏せ寝検出装置の実施例２の構成図である。
【図４】（ａ）は本発明の実施の形態に係る乳幼児うつ伏せ寝検出装置の実施例２における第１制御部の動作手順を示すフローチャートであり、（ｂ）は本発明の実施の形態に係る乳幼児うつ伏せ寝検出装置の実施例２における第２制御部の動作手順を示すフローチャートである。
【図５】本発明の実施の形態に係る乳幼児うつ伏せ寝検出装置の実施例３の構成図である。
【図６】本発明の実施の形態に係る乳幼児うつ伏せ寝検出装置の実施例３における第２制御部の動作手順を示すフローチャートである。
【図７】本発明の実施の形態に係る乳幼児うつ伏せ寝検出装置の実施例４における第１制御部の動作手順を示すフローチャートである。
【図８】本発明の実施の形態に係る乳幼児うつ伏せ寝検出装置の実施例５における第１制御部の動作手順を実施例２又は実施例３の構成要素について説明したフローチャートである。
【図９】本発明の実施の形態に係る乳幼児うつ伏せ寝検出装置の実施例６における第２制御部の動作手順を実施例１乃至実施例３のいずれかの構成要素について説明したフローチャートである。
【図１０】本発明の実施の形態に係る乳幼児うつ伏せ寝検出装置の実施例７における第２制御部の動作手順を示すフローチャートである。
【図１１】本発明の実施の形態に係る乳幼児うつ伏せ寝検出装置の実施例８における第１制御部の動作手順を実施例２又は実施例３の構成要素について説明したフローチャートである。
【図１２】本発明の実施の形態に係る乳幼児うつ伏せ寝検出装置の実施例９における第１制御部の動作手順を実施例２又は実施例３の構成要素について説明したフローチャートである。
【図１３】本発明の実施の形態に係る乳幼児うつ伏せ寝検出装置の実施例９における第２制御部の動作手順を実施例２の構成要素について説明したフローチャートである。
【図１４】本発明の実施の形態に係る乳幼児うつ伏せ寝検出装置の実施例１０における第２制御部の動作手順を実施例３の構成要素について説明したフローチャートである。
【図１５】本発明の実施の形態に係る乳幼児うつ伏せ寝検出装置の実施例１１における制御部の動作手順を示すフローチャートである。
【図１６】本発明の実施の形態に係る乳幼児うつ伏せ寝検出装置の実施例１２の構成図である。
【図１７】本発明の実施の形態に係る乳幼児うつ伏せ寝検出装置の実施例１２における第１制御部の動作手順を示すフローチャートである。
【図１８】（ａ）は従来技術に係る乳幼児敷布団の斜視図であり、（ｂ）は従来技術に係る監視装置の構成を示す概略図である。
【図１９】（ａ）は従来技術に係る就寝装置の外観斜視図であり、（ｂ）は同装置のベッドパッドにおける体動検知手段とクッション材の配置を示す斜視図である。
【符号の説明】
【００８７】
１…乳幼児  ２…検知部  ３，３ａ，３ｂ…センサ部  ４…第１制御部  ５，５ａ…発信部  ６…本体部  ７…受信部  ８…第２制御部  ９…アラーム部  １０…着衣  １１…ケーブル  １２…外部受信部  １３…固定電話  １４…携帯電話  １５…受令機  １６ａ，１６ｂ…マイクロホン  １７ａ，１７ｂ…スピーカ  １８…尿センサ部  １９ａ，１９ｂ…送受信部  ２０…おむつ  ５０…凹字状部分  ５１…切り欠き部  ５２…硬質性スポンジ  ５３…監視装置  ５４…柵  ５５…部屋  ５６…監視者  ５７…ＬＣＤパネル  ５８…ユニット本体  ５９…操作ボタン  ６０…プリントボタン  ６１…ケーブル  ６２…部屋  ６３…ベビーベッド  ６４…カメラ部  ６５…プリンタ付きモニタユニット  ６６…乳幼児  ６７…就寝台  ６８…制御ボックス  ６９…ディスプレイ  ７０…ブザー  ７１…布片  ７２…クッション材  ７３…ベッド  ７４…マットレス  ７５…ベッドパッド  ７６…体動検知手段  ７７…就寝者
【図１】
2005312901.tif 000003
【図２】
2005312901.tif 000004
【図３】
2005312901.tif 000005
【図４】
2005312901.tif 000006
【図５】
2005312901.tif 000007
【図６】
2005312901.tif 000008
【図７】
2005312901.tif 000009
【図８】
2005312901.tif 000010
【図９】
2005312901.tif 000011
【図１０】
2005312901.tif 000012
【図１１】
2005312901.tif 000013
【図１２】
2005312901.tif 000014
【図１３】
2005312901.tif 000015
【図１４】
2005312901.tif 000016
【図１５】
2005312901.tif 000017
【図１６】
2005312901.tif 000018
【図１７】
2005312901.tif 000019
【図１８】
2005312901.tif 000020
【図１９】
2005312901.tif 000021